(57)【特許請求の範囲】
【請求項１】
水底ケーブルの接続部およびその近傍部分のケーブルを吊り下げて水中に沈めることにより前記接続部およびその近傍部分のケーブルを所定の位置に敷設する水底ケーブルの接続部の敷設方法において、
前記接続部およびその近傍部分のケーブルを受け部材上に載置し、前記受け部材を吊り下げて水中に沈めるステップを、前記受け部材の前記接続部の軸方向における適宜個所を吊り下げるとともに、先に水中に沈められて行くケーブルの側に位置した前記受け部材の端部側の吊点を垂直に吊り下げた状態にして行うことにより前記接続部およびその近傍部分のケーブルを所定の位置に敷設することを特徴とする水底ケーブルの接続部の敷設方法。
【請求項２】
前記受け部材を吊り下げて水中に沈めるステップは、端部上面にＲ部を形成した受け部材を使用して行われることを特徴とする請求項１項記載の水底ケーブルの接続部の敷設方法。
【発明の詳細な説明】
【０００１】
【発明の属する技術分野】
本発明は、海あるいは河川等への水底ケーブルの接続部の敷設方法に関し、特に、接続部近傍部分のケーブルを損傷することなく安定した状態のもとに敷設作業を遂行することのできる水底ケーブルの接続部の敷設方法に関する。
【０００２】
【従来の技術】
電力回線や光回線等を内蔵した水底ケーブル線路においては、これを水底に敷設したり、あるいは敷設したケーブルを補修のために引き揚げたり、さらには、引き揚げたケーブルを再び水底に敷設する際に、接続部付近のケーブルの湾曲状態が重要となる。
【０００３】
図２は、水底ケーブルの接続部の敷設状況を示したもので、敷設船１上に積載されたケーブル２の巻き回し体３より引き出された接続部４とその近傍部分のケーブル２ａおよび２ｂは、クレーン（図示せず）に吊り上げられて、一方のケーブル２ａ側に連係したケーブル２ｃが水１２の中に没した後に沈められ、水底の所定の位置に敷設される。
【０００４】
７は吊り具を示し、その下部には、接続部４とその近傍部分のケーブル２ａおよび２ｂがロープ１３の固縛により取り付けられており、一方、吊り具７の両端には、クレーンの吊下部６に吊り下げられたワイヤ５が取り付けられている。
【０００５】
吊り具７は、図示される状態でバランスしており、この状態を維持したままケーブル２ｃを沈めて後に水中に沈められ、その後、水中においてロープ１３の固縛が解かれ、これにより、接続部４とその近傍部分のケーブル２ａおよび２ｂとが所定の位置に敷設される。
【０００６】
以上の構成は、内部保護のために堅固かつ大径に作られ、従って、剛性に富んだ接続部４の近傍位置において、ケーブル２ａおよび２ｂに過度な曲げ力を与えないために採用されているもので、この結果、水底ケーブル線路は、良好な状態のもとに敷設されることとなる。
【０００７】
【発明が解決しようとする課題】
しかし、従来の水底ケーブルの接続部の敷設方法によると、敷設深度が深くなるのにしたがって水中に沈下して行くケーブル２ｃの重量が大きくなり、このため、ロープ１３の各固縛点ａ、ｂ・・・に加わる力が過大になって、これらの部分の、特に、ケーブル２ａの側に損傷を与えることがある。
【０００８】
従って、本発明の目的は、ケーブルに損傷を与えることなく安定した状態で敷設作業を遂行することのできる水底ケーブルの接続部の敷設方法を提供することにある。
【０００９】
【課題を解決するための手段】
本発明は、上記の目的を達成するため、水底ケーブルの接続部およびその近傍部分のケーブルを吊り下げて水中に沈めることにより前記接続部およびその近傍部分のケーブルを所定の位置に敷設する水底ケーブルの接続部の敷設方法において、前記接続部およびその近傍部分のケーブルを受け部材上に載置し、前記受け部材を吊り下げて水中に沈めるステップを、前記受け部材の前記接続部の軸方向における適宜個所を吊り下げるとともに、先に水中に沈められて行くケーブルの側に位置した前記受け部材の端部側の吊点を垂直に吊り下げた状態にして行うことにより前記接続部およびその近傍部分のケーブルを所定の位置に敷設することを特徴とする水底ケーブルの接続部の敷設方法を提供するものである。
【００１１】
このようにするときには、先に水中に沈下させられるケーブル側から大きな力が作用したとしても、その力をクレーン等の吊下部に受けさせることができ、従って、図２の従来の敷設作業において多発していた沈下ケーブル側からの負荷増を原因とした吊り下げバランスの崩壊と、それによる敷設作業の遂行不能の発生を未然に防ぐことができる。
【００１２】
また、上記の受け部材としては、端部上面にＲ部を形成したものであることが好ましく、このような受け部材を使用するときには、接続部の近傍部分のケーブルがＲ部に沿って無理なく曲げられることとなり、従って、水中に沈められるケーブル側よりこの部分に力が作用したとき、許容曲率半径を超えるような局部的なケーブルの屈曲を防ぐことができる。
【００１３】
【発明の実施の形態】
次に、本発明による海底ケーブル接続部の敷設方法の実施の形態を説明する。図１において、１はケーブルの巻き回し体２を積載した敷設船、３は巻き回し体２より引き出されたケーブル、４はケーブル３に形成された接続部を示す。
【００１４】
５はクレーンの吊下部６に取り付けられたワイヤ、７はワイヤ５に吊り下げられた吊り具、８は吊り具７に複数のワイヤ９によって取り付けられた受け部材を示し、この受け部材８の上部には、接続部４とその近傍部分のケーブル２ａおよび２ｂが載置されている。
【００１５】
また、受け部材８の両端の上面には、Ｒ部１０が形成されており、ケーブル２ａの側がこのＲ部１０に沿って曲げられ、先に水中に沈められるケーブル２ｃと連係している。１１ａ〜１１ｄは、接続部４の軸方向における受け部材８の適宜個所に設けられたワイヤ９の吊点を示し、このうち、ケーブル２ｃ側の端部に位置した吊点１１ａは、クレーンの吊下部６から垂直に吊り下げられている。
【００１６】
以上の構成のもと、接続部４とその近傍部分のケーブル２ａおよび２ｂは、受け部材８上に載せたられたまま水１２中に沈められ、その後、水中において受け部材８上より外され、所定の位置に敷設される。
【００１７】
以上のようにして遂行される本実施の形態による敷設作業によれば、接続部４とその近傍部分のケーブル２ａおよび２ｂが受け部材８上に載置されて水中に沈められるため、敷設深度大を原因としたケーブル２ｃ側からの過大な力が作用したとしても、従来の方法のようにケーブル２ａおよび２ｂに対して損傷を与える恐れは全くない。
【００１８】
また、受け部材８のケーブル２ｃ側端部の吊点１１ａを垂直に吊り下げているため、敷設深度が深くなってケーブル２ｃ側より大きな力が働いたとしても、その力は、クレーンの吊下部６に作用することとなり、従って、図示される構成のバランスが損なわれることがないため、常に安定した状態での作業遂行が可能となる。
【００１９】
さらに、この実施の形態においては、受け部材８の端部上面にＲ部１０が形成されているため、ケーブル２ａは、このＲ部１０に沿って無理なく曲げられることになり、従って、ケーブル２ｃ側よりこの部分に強い力が作用したとしても、ケーブルが局部的に屈曲させられることがなく、許容曲率半径以上の曲げを原因としたケーブルの損傷を未然に防ぐことができる。
【００２０】
【発明の効果】
以上説明したように、本発明による水底ケーブルの接続部の敷設方法によれば、接続部およびその近傍部分のケーブルを受け部材上に載置し、この受け部材を吊り下げて水中に沈めることによって敷設作業を行うため、ケーブルに損傷を与えることなく安定した状態で作業を遂行することができ、また、受け部材の接続部軸方向における適宜個所に複数の吊点を設けて吊り下げるとともに、先に水中に沈められて行くケーブルの側に位置した受け部材の端部側の吊点を垂直に吊り下げた状態にて敷設作業を行うため、沈下ケーブル側からの負荷増を原因とした吊り下げバランスの崩壊と、それによる敷設作業の遂行不能の発生を未然に防ぐことができる。
【図面の簡単な説明】
【図１】本発明による海底ケーブルの接続部の敷設方法の実施の形態を示す説明図。
【図２】従来の海底ケーブルの接続部の敷設方法を示す説明図。
【符号の説明】
１      敷設船
２、２ａ、２ｂ、２ｃ      ケーブル
３      ケーブルの巻き回し体
４      接続部
５、９      ワイヤ
６      吊下部
７      吊り具
８      受け部材
１０      Ｒ部
１１ａ〜１１ｄ      吊点
１２      水
【図１】
0003711259.tif 000002
【図２】
0003711259.tif 000003